(57)【要約】【課題】住戸を可動間仕切り体を閉めることでメイン居室とされる一方部分とその余の水回りの設備などが設置される他方部分とに概ね二分されるようにしながら、可動間仕切り体を閉めた状態においては他方部分がさらに住戸の奥行き方向において前後に独立性高く区分されるようにする。【解決手段】集合住宅の住戸構造を、集合住宅を構成するワンルームタイプの住戸の構造である。住戸を、間口方向ｙに交叉する向きの仮想の仕切り面ｚに沿って備えられる左右仕切り壁９と可動間仕切り体１０とによって、間口方向ｙにおいて左右に概ね二分し、その一方部分にメイン居室１を配し、その他方部分をさらに、住戸の奥行き方向ｘに続く境界壁６から室内側に突き出すと共に、その突き出し端１１ａと前記仮想の仕切り面ｚとの間に可動間仕切り体１０を通し抜け可能とした前後仕切り壁１１によって前後に区分させる。【選択図】図１
2008127751.tif 000002
【特許請求の範囲】
【請求項１】
集合住宅を構成するワンルームタイプの住戸の構造であって、
住戸を、その間口方向に交叉する向きの仮想の仕切り面に沿って備えられる左右仕切り壁と可動間仕切り体とによって、その間口方向において左右に概ね二分し、
その一方部分にメイン居室を配し、
その他方部分をさらに、住戸の奥行き方向に続く境界壁から室内側に突き出すと共に、その突き出し端と前記仮想の仕切り面との間に可動間仕切り体を通し抜け可能とした、少なくとも一つの前後仕切り壁によって前後に区分させるようにしていることを特徴とする集合住宅の住戸構造。
【発明の詳細な説明】
【技術分野】
【０００１】
この発明は、集合住宅を構成するワンルームタイプの住戸の構造に関する。
【背景技術】
【０００２】
いわゆるワンルームマンションと呼ばれる形式の住戸に関し、土間空間と居室空間とを両者間に段差を形成させて間仕切りなく連続させるようにすると共に、この土間空間に水回りの設備を備えさせるようにしたものがある。（特許文献１参照）
【０００３】
この特許文献１のものでは、可動間仕切り体としてのアコーディオンカーテンによって、水回りの設備が備えられた土間空間と居室空間とを仕切るようにしており、このアコーディオンカーテンを閉めきれば土間空間から居室空間は一応独立はするものの、この土間空間内には格別の仕切りがなく、例えばシャワー室を使えば土間空間全体を直ちに湿っぽくさせてしまうといった不都合を有するものであった。
【特許文献１】特開２００１−２９５４８２号公報
【発明の開示】
【発明が解決しようとする課題】
【０００４】
この発明が解決しようとする主たる問題点は、住戸を可動間仕切り体を閉めることでメイン居室とされる一方部分とその余の水回りの設備などが設置される他方部分とに概ね二分されるようにしながら、可動間仕切り体を閉めた状態においては他方部分がさらに住戸の奥行き方向において前後に独立性高く区分されるようにする点にある。
【課題を解決するための手段】
【０００５】
前記課題を達成するために、この発明にあっては、集合住宅の住戸構造を、集合住宅を構成するワンルームタイプの住戸の構造であって、
住戸を、その間口方向に交叉する向きの仮想の仕切り面に沿って備えられる左右仕切り壁と可動間仕切り体とによって、その間口方向において左右に概ね二分し、
その一方部分にメイン居室を配し、
その他方部分をさらに、住戸の奥行き方向に続く境界壁から室内側に突き出すと共に、その突き出し端と前記仮想の仕切り面との間に可動間仕切り体を通し抜け可能とした、少なくとも一つの前後仕切り壁によって前後に区分させるようにしている。
【０００６】
メイン居室が配される一方部分と他方部分とは、可動間仕切り体を閉めきることにより、前記仮想の仕切り面に沿ってスッキリと仕切られて、それぞれ独立した空間となる。これにより、キッチン及びサニタリーからメイン居室を独立させることができる。例えば、前後仕切り壁によって前後に区分される他方部分の空間の一つをキッチンとし、別の一つをサニタリーとした場合、可動間仕切り体を完全に閉めきることで、この他方部分においてもキッチンとサニタリーとをそれぞれ独立した空間とすることができる。また、可動間仕切り体を部分的に閉めることで、メイン居室とキッチンを連続させて且つサニタリーから独立させるような仕切り方や、メイン居室とサニタリーを連続させて且つキッチンから独立させるような仕切り方をすることもできる。
【発明の効果】
【０００７】
この発明によれば、ワンルームタイプの住戸における限られたスペースの範囲内において、住戸を可動間仕切り体を閉めることでメイン居室とされる一方部分とその余の水回りの設備などが設置される他方部分とに概ね二分できるようにしながら、可動間仕切り体を閉めた状態においては他方部分をさらに住戸の奥行き方向において前後に独立性高く区分させることができる。
【発明を実施するための最良の形態】
【０００８】
以下、図１および図２に基づいて、この発明を実施するための最良の形態について説明する。
【０００９】
なお、ここで図１は、この発明を適用して構成された住戸の一例の平面構成を示しており、また、図２は、この発明を適用して構成された住戸の他の一例の平面構成を示している。
【００１０】
この実施の形態にかかる住戸構造は、いわゆるアパートやマンション、各種の寮などとして利用される集合住宅を構成する住戸のうちの、ワンルームタイプの住戸に適用されるものである。
【００１１】
ここで、本明細書においてワンルームタイプの住戸という概念は、厨房設備を含んでなる一つのメイン居室（主たる居室）にサニタリーを組み合わせて構成される住戸、一つのメイン居室にキッチンおよびサニタリーを組み合わせて構成される住戸、およびこれらにさらにクローゼット、サービスルーム、サンルームなどの補助的な空間の一又は二以上をさらに組み合わせて構成される住戸を含むものであり、本明細書においてはこうした各住戸を含ませる意図でワンルームタイプという表現を使用している。
【００１２】
図１の例では、かかる住戸を、一つのメイン居室１（リビング兼ベッドルーム、場合によってはさらにダイニングを兼ねる。）と、キッチン２兼用のサンルーム１２（インサイドテラスなどとも称される。）と、トイレ３と、洗面設備４’を備えたパウダールーム４”（サニタリー）と、バスルーム４と、入り口側空間５（玄関５ａとこれと一続きのクローゼット５ｂ）とから構成させている。
【００１３】
また、図２の例では、かかる住戸を、一つのメイン居室１（リビング兼ベッドルーム、場合によってはさらにダイニングを兼ねる。）と、キッチン２と、パウダールーム４”（トイレ設備３’と洗面設備４’を備えさせたサニタリー）と、バスルーム４と、サンルーム１２（インサイドテラスなどとも称される。）と、入り口側空間５（玄関５ａとこれと一続きのクローゼット５ｂ）とから構成させている。
【００１４】
図示の例では、かかる住戸は間口に対し奥行きを大きくすると共に、この奥行き方向ｘに沿った一対の境界壁６、６間に前記メイン居室１などを備えさせて構成されている。すなわち、かかる住戸は、平面視の状態において略長方形の内郭を有しており、その幅方向に亘る一方辺側の略中程に玄関ドアによって塞がれる出入り口７となる開口部を、また、この出入り口７と反対の側に窓開口部８を備えている。
【００１５】
典型的には、このように構成された複数の住戸を出入り口７を同じ方角に向けるようにして並列状に配し、このように配される複数の住戸の出入り口７がそれぞれ臨む外廊下を設けるなどして、一棟の集合住宅が構成される。
【００１６】
前記入り口側空間５は、かかる住戸の奥行き方向ｘに続く境界壁６から室内側に突き出す第一仕切り壁５ｃと、この第一仕切り壁５ｃの突き出し端５ｃ’から玄関５ａ側に向けて突き出す第二仕切り壁５ｄとによってメイン居室１と区分され、かつその住戸の出入り口７に連続して備えられている空間である。かかる第二仕切り壁５ｄの突き出し端５ｄ’はこの入り口側空間５とメイン居室１とを仕切る段差部１ａと略同じ位置に位置されるようになっている。これにより、第一仕切り壁５ｃと第二仕切り壁５ｄとによって入り口側空間５における第二仕切り壁５ｄの突き出し端５ｄ’よりも奥側に位置される空間（図示の例ではクローゼット５ｂ）とメイン居室１とを明確に区分させながら、この奥側に位置される空間への入り口５ｅの幅を最大限に確保させることができるようになっている。
【００１７】
また、この実施の形態にかかる住戸は、その間口方向ｙに交叉する向きの仮想の仕切り面ｚに沿って備えられる左右仕切り壁９と可動間仕切り体１０とによって、その間口方向ｙにおいて左右に概ね二分されており、
その一方部分にメイン居室１を配し、
その他方部分をさらに、住戸の奥行き方向ｘに続く境界壁６から室内側に突き出すと共に、その突き出し端１１ａと前記仮想の仕切り面ｚとの間に可動間仕切り体１０を通し抜け可能とした、少なくとも一つの前後仕切り壁１１によって前後に区分させるようにしている。
【００１８】
メイン居室１が配される一方部分と他方部分とは、可動間仕切り体１０を閉めきることにより、前記仮想の仕切り面ｚに沿ってスッキリと仕切られて、それぞれ独立した空間となる。これにより、キッチン２及びサニタリーからメイン居室１を独立させることができる。例えば、前後仕切り壁１１によって前後に区分される他方部分の空間の一つをキッチン２とし、別の一つをサニタリーとした場合、可動間仕切り体１０を完全に閉めきることで、この他方部分においてもキッチン２とサニタリーとをそれぞれ独立した空間とすることができる。また、可動間仕切り体１０を部分的に閉めることで、メイン居室１とキッチン２を連続させて且つサニタリーから独立させるような仕切り方や、メイン居室１とサニタリーを連続させて且つキッチン２から独立させるような仕切り方をすることもできる。
【００１９】
他方部分の天井を一方部分の天井よりも低くさせると共に、このように低くした分で他方部分の上部に一方部分側に開放された収納（図示は省略する。）などを形成させた場合、前記可動間仕切り体１０にこの収納の開放部を塞ぐ蓋としての役割を兼ねさせることもできる。
【００２０】
前後仕切り壁１１の突き出し端１１ａは、可動間仕切り体１０の案内部、具体的には鴨居、敷居、吊りレールなどの側方にあって、これに近接するがこれとオーバーラップしない位置に位置づけられる。前後仕切り壁１１の突き出し端１１ａには必要に応じて可動間仕切り体１０の召し合わせ部に対応する塞ぎ材が備えられる。また、可動間仕切り体１０には透光性を持たせるようにしておいても良い。
【００２１】
図１に示される例では、住戸の奥行き方向ｘに沿うと共に出入り口７の一方の開口縁を通る仮想の直線ｘ’に沿って形成された左右仕切り壁１３と、この左右仕切り壁１３の室内側の端部から境界壁６の一方に向けて間口方向ｙに沿って突き出す前後仕切り壁１４とによって、出入り口７側の一方隅部にバスルーム４を区画形成させている。この前後仕切り壁１４の突き出し端の先がバスルーム４の入り口４ａとなっている。この例では、住戸の窓開口部８側に間口方向ｙに亘るキッチン２兼サンルーム１２が形成されていると共に、前記仮想の仕切り面ｚが住戸の奥行き方向ｘに沿い且つ前記境界壁６の一方から間口方向ｙに突き出してこのキッチン２兼サンルーム１２に臨んだ前後仕切り壁１５の突き出し端を通る面とされている。この仮想の仕切り面ｚはバスルーム４の入り口４ａ近傍をさらに通るようになっており、可動間仕切り体１０を閉めきるとサニタリーおよびバスルーム４からメイン居室１が完全に独立するようになっている。
【００２２】
この例では、このように設定された仮想の仕切り面ｚによって二分された他方部分の奥行き方向ｘ略中央部に、前後に間隔を開けてそれぞれ前記境界壁６の一方から間口方向ｙに突き出す一対の前後仕切り壁１１、１１が設けられており、この一対の前後仕切り壁１１、１１によって他方部分がバスルーム４とキッチン２兼サンルーム１２との間において前後に三つに分割されている。図示の例では一対の前後仕切り壁１１、１１の間にはハンガーパイプ１６が架設されており、この間をクローゼット１７として利用できるようにしてある。この例では、境界壁６から突き出すかかる前後仕切り壁１１を利用して、トイレ３およびパウダールーム４”に収納やタオル掛けなどの取り付け面を確保させることができ、限られた空間をより無駄なく利用できるようになっている。
【００２３】
また、この例では、キッチン２兼サンルーム１２とメイン居室１とは間口方向ｙに可動可能な間仕切り体としての引き違い戸１８によって仕切られるようになっている。この引き違い戸１８を閉めきった場合はキッチン２兼サンルーム１２は独立したダイニングキッチンとして利用できるようになっている。また、この間仕切り体を吊り戸にすれば吊り戸を開いたときはメイン居室１とサンルーム１２とを段差のないバリアフリーな一つの連続空間にさせることができる。窓開口部８は、例えば、下部を不透明なはめ殺し窓とし、上部を透明な可動窓とする。（例えば床から１．１ｍより上方）このようにしておけば、窓開口部８の上部から通風が得られると共に、窓開口部８の下部によってサンルーム１２に干された洗濯物を見えがたくするなど、居住者のプライバシーを確保させることができる。
【００２４】
図２に示される例では、住戸の奥行き方向ｘに沿うと共に出入り口７の一方の開口縁を通る仮想の直線ｘ”に沿って形成された左右仕切り壁１３によって、出入り口７側の一方隅部にバスルーム４を区画形成させている。この例では、住戸の窓開口部８側に間口方向ｙに亘るサンルーム１２が形成されていると共に、前記仮想の仕切り面ｚが前記境界壁６の一方から間口方向ｙに突き出してこのサンルーム１２に臨んだ前後仕切り壁１５の突き出し端と前記バスルーム４を区画する左右仕切り壁１３の室内側の端部とを通る面とされている。この例では、この仮想の仕切り面ｚは、サンルーム１２側に向かうに連れてメイン居室１の幅を広げる向きに傾斜している。そして可動間仕切り体１０を閉めきるとサニタリーおよびバスルーム４からメイン居室１が完全に独立するようになっている。この例では、前記傾斜によって可動間仕切り体１０を閉めきったときにメイン居室１からサンルーム１２側をのぞんだ場合にメイン居室１が広がって見える視覚的効果がもたらされる。特に、この例では、可動の仕切り面ｚの前記位置と傾斜とによって、玄関５ａ付近からサンルーム１２側をのぞんだ場合、左右仕切り壁１３によって可動間仕切り体１０が死角にはいるため、よりメイン居室１が広がって見えるようになっている。
【００２５】
この例では、このように設定された仮想の仕切り面ｚによって二分された他方部分の奥行き方向ｘ略中央部に、前記境界壁６の一方から間口方向ｙに突き出す前後仕切り壁１１が設けられており、この前後仕切り壁１１によって他方部分がバスルーム４とサンルーム１２との間において前後に分割されている。この例にあっては、境界壁６から突き出すこの前後仕切り壁１１を利用して、キッチン２側にあっては起立状態で利用しやすい上側位置に収納を、パウダールーム４”側にあっては洋式のトイレ設備３’に着座した状態で利用しやすい下側位置に収納をそれぞれ設けるようにすることができ、これによりこの例でも限られた空間をより無駄なく利用できるようになっている。
【００２６】
また、この例では、サンルーム１２とメイン居室１とは間口方向ｙに可動可能な間仕切り体としての引き違い戸１８によって仕切られるようになっている。この間仕切り体を吊り戸にすれば吊り戸を開いたときはメイン居室１とサンルーム１２とを段差のないバリアフリーな一つの連続空間にさせることができる。窓開口部８は、例えば、下部を不透明なはめ殺し窓とし、上部を透明な可動窓とする。（例えば床から１．１ｍより上方）このようにしておけば、窓開口部８の上部から通風が得られると共に、窓開口部８の下部によってサンルーム１２に干された洗濯物を見えがたくするなど、居住者のプライバシーを確保させることができる。
【図面の簡単な説明】
【００２７】
【図１】住戸の平面構成図（見取り図）
【図２】他の構成例にかかる住戸の平面構成図（見取り図）
【符号の説明】
【００２８】
ｘ  奥行き方向
ｙ  間口方向
ｚ  仮想の仕切り面
１  居室（メイン居室）
６  境界壁
９  左右仕切り壁
１０  可動間仕切り体
１１  前後仕切り壁
１１ａ  突き出し端
【図１】
2008127751.tif 000003
【図２】
2008127751.tif 000004